(57)【要約】【課題】色度範囲や光束などに固体差に起因するばらつきのある多数のＬＥＤが供給された場合において、供給された多数のＬＥＤの全部を使用対象とすることが可能でありながら、色度や光束がスペックアウトすることのない面発光装置を提供する。【解決手段】光源ユニットに含まれる所要数のＬＥＤを、バーの個々のチャンネルｃｈ１，ｃｈ２，ｃｈ３，ｃｈ４に振り分けて割り当てる。内側チャンネルｃｈ２，ｃｈ３に、色度及び光束のスペックの高いＬＥＤを割り当て、外側チャンネルｃｈ１，ｃｈ４に色度及び光束のスペックの高いＬＥＤとスペックの低いＬＥＤとを混在させて割り当てる。【選択図】図１
2011254064.tif 000002
【特許請求の範囲】
【請求項１】
色度座標上の色度範囲内で複数の色度母集団にランク分けされ、かつ、光束数値に応じた複数の光束母集団にランク分けされた多数のＬＥＤと、
多数の上記ＬＥＤの中から選択された所要数のＬＥＤが帯板状のバーに並べて搭載されてなる光源ユニットと、を備える面発光装置において、
上記バーの長手方向複数箇所に並び、上記光源ユニットに含まれる所要数の上記ＬＥＤが振り分けて割り当てられている個々のチャンネルを含み、
それらのチャンネルが、複数箇所の上記チャンネルの並び方向中央部に位置している内側チャンネルとその内側チャンネルを挟む両側に位置している外側チャンネルとに区画されていて、
上記内側チャンネルに、上記色度母集団及び上記光束母集団の全部から選択された色度スペックと光束スペックの高いＬＥＤが割り当てられていることを特徴とする面発光装置。
【請求項２】
上記外側チャンネルに、上記色度母集団及び上記光束母集団の全部から任意に選択されたＬＥＤが割り当てられている請求項１に記載した面発光装置。
【請求項３】
色度座標上の色度範囲内で複数の色度母集団にランク分けされ、かつ、光束数値に応じた複数の光束母集団にランク分けされた多数のＬＥＤと、
多数の上記ＬＥＤの中から選択された所要数のＬＥＤが帯板状のバーに並べて搭載されてなる光源ユニットと、を備える面発光装置において、
上記バーの長手方向複数箇所に並び、上記光源ユニットに含まれる所要数の上記ＬＥＤが振り分けて割り当てられている個々のチャンネルを含み、
それらのチャンネルが、複数箇所の上記チャンネルの並び方向中央部に位置している内側チャンネルとその内側チャンネルを挟む両側に位置している外側チャンネルとに区画されていて、
上記内側チャンネルに、全部の上記色度母集団を上記色度座標上で中央部に位置する第１色度母集団群とそれを取り囲んで位置する第２色度母集団群との２段階にランク分けすることによって得られる上記第１色度母集団群から任意に選択されたＬＥＤが割り当てられ、
上記内側チャンネルに含まれるＬＥＤの全部が、複数の上記光束母集団を光束数値の大きい第１光束母集団群とそれよりも光束数値の小さい第２光束母集団群との２段階にランク分けすることによって得られる上記第１光束母集団群に属していることを特徴とする面発光装置。
【請求項４】
上記外側チャンネルに、第１及び第２の上記色度母集団群の全範囲から任意に選択されたＬＥＤが割り当てられ、
上記外側チャンネルに含まれるＬＥＤが、第１及び第２の上記光束母集団群の全範囲から任意に選択されている請求項３に記載した面発光装置。
【請求項５】
上記光源ユニットに含まれる所要数の上記ＬＥＤが、上記バーの長手方向に並んだ４つのチャンネルに振り分けて割り当てられ、
４つの上記チャンネルのうちの中央の２つのチャンネルが上記内側チャンネルとして定められ、それらの２つのチャンネルを挟む両側に位置する２つのチャンネルが上記外側チャンネルとして定められている請求項３又は請求項４に記載した面発光装置。
【発明の詳細な説明】
【技術分野】
【０００１】
本発明は、面発光装置、特に、色度座標上の色度範囲で複数の色度母集団にランク分けされ、かつ、光束数値に応じた複数の光束母集団にランク分けされている多数のＬＥＤの中から選択された所要数のＬＥＤ（発光ダイオード）を有し、それらのＬＥＤが帯板状のバーに並べて搭載されてなる光源ユニットを備える面発光装置に関する。
【背景技術】
【０００２】
面発光装置の光源として採用されるＬＥＤは、その生産段階で固体差により色度や光束にばらつきが生じる。このばらつきは、液晶表示モジュールとして見た場合に、ディスプレイの見た目の明暗の差や色味の差として明らかに識別できるレベルに達している。そこで、ＬＥＤを光源とする光源ユニットを組み込んだ面発光装置を製造するときには、国際照明委員会による色度図（ＣＩＥ表色系におけるｘｙ色度図）の色度座標を使って多数のＬＥＤに対してランク分けがなされる。また、光束（ｌｍ）についても同様に光束数値に応じたランク分けがなされる。
【０００３】
従来では、面発光装置の発光色のばらつきや輝度をできるだけ一様にするための対策として、ＬＥＤの色度（ＣＩＥ）や光束（ｌｍ）、順方向電圧（Ｖｆ）の仕様を細かく限定することが行われていた。また、色度や光束にばらつきがある多数のＬＥＤを混在（ミキシング）させた光源ユニットを用いて、面発光装置の全体（液晶表示モジュール）の発光色のばらつきや輝度をできるだけ一様にするという対策が講じられることもあり、この対策では、色度や光束、順方向電圧の仕様が異なるＬＥＤを交互に並べるというミキシング方法が採られていた。
【０００４】
一方、液晶モジュールのバックライト（面発光装置に相当）の製造に際して、供給されたばらつきのあるＬＥＤの利用率が高くなるようにするための対策を提案している先行例があった（たとえば、特許文献１参照）。そのほか、発光色のばらつきを低減するための種々の研究も行われている（たとえば、特許文献２、特許文献３参照）。
【先行技術文献】
【特許文献】
【０００５】
【特許文献１】特開２００８−１４７５６３号公報
【特許文献２】特開２００９−１５８９０３号公報
【特許文献３】特開２００１−２２２２４２号公報
【発明の概要】
【発明が解決しようとする課題】
【０００６】
しかしながら、従来のように面発光装置の発光色や光束のばらつきをできるだけ一様にするためにＬＥＤの色度や光束、順方向電圧の仕様を細かく限定するという対策を講じると、色度座標上や光束数値に応じてランク分けされた多数のＬＥＤの中で使用可能なＬＥＤの数が限定されてしまうので、無駄なＬＥＤが発生することによるコストアップが避けられないという問題があった。
【０００７】
また、色度座標上で略矩形の輪郭線を有する色度範囲内で細かくランク分けされた多数のＬＥＤから任意のＬＥＤを選択して面発光装置の光源ユニットに使用するだけでは、光源ユニットに使用されているＬＥＤの多くが、上記輪郭線のコーナ付近（色度範囲内の偏った位置）にランク分けされた色度母集団に属するＬＥＤであるという場合や、光束数値の小さい範囲にランク分けされた光束母集団に属するＬＥＤであるという場合も起こり得る。これらの場合には、面発光装置が色度スペックや光束スペックを満たさなくなってスペックアウトとなってしまうという問題があった。また、順方向電圧（Ｖｆ）の高いＬＥＤが集中して使用された場合には消費電力が大きくなってしまう。
【０００８】
ところで、面発光装置の製造に際して、供給された多数のＬＥＤの一つ一つを、上記した色度範囲内で複数の色度母集団に細かくランク分けし、それらのＬＥＤの一つ一つを光束数値に応じて複数の光束母集団に細かくランク分けし、さらに順方向電圧の数値に応じてランク分けした上で、それらの各ランクに属するＬＥＤを適切に組み合わせて光源ユニットの帯板状のバーでの配置位置を指定するという対策を行うと、無駄なＬＥＤが発生することを抑制しつつ面発光装置の全体の発光色や光束のばらつきを抑えることができるとも考えられる。
【０００９】
しかしながら、たとえば、供給された多数のＬＥＤが、色度範囲内で４行４列の１６種類の色度母集団にランク分けされ、光束数値によって６種類の光束母集団にランク分けされ、さらに７種類の順方向電圧の数値によってランク分けされているという場合には、それらのＬＥＤについて、合計で６７２通りの組み合わせが考えられることから、これをバーに位置指定して配置することは不可能に近いということが云える。
【００１０】
この点を解決するには、色度母集団や光束母集団のランク数を減少させることによって、バーでのＬＥＤの位置指定を簡略化することが有益である。
【００１１】
本発明は、以上の状況の下で、光源ユニットのバーの長手方向中央部に配置されるＬＥＤのスペックが、面発光装置の全体のスペックに影響を及ぼしやすいという事実に着目してなされたものである。
【００１２】
すなわち、本発明は、色度範囲や光束などにばらつきのある多数のＬＥＤが供給された場合において、供給された多数のＬＥＤの全部を使用対象とすることができて無駄なＬＥＤの発生を抑制し、併せて、ＬＥＤの一つ一つの細分化された仕様を用いる必要性をなくすることによってコストダウンを図ることが可能でありながら、色度や光束がスペックアウトすることのない面発光装置を提供することを目的とする。
【課題を解決するための手段】
【００１３】
請求項１の発明に係る面発光装置は、色度座標上の色度範囲内で複数の色度母集団にランク分けされ、かつ、光束数値に応じた複数の光束母集団にランク分けされた多数のＬＥＤと、多数の上記ＬＥＤの中から選択された所要数のＬＥＤが帯板状のバーに並べて搭載されてなる光源ユニットと、を備えている。
【００１４】
また、上記バーの長手方向複数箇所に並び、上記光源ユニットに含まれる所要数の上記ＬＥＤが振り分けて割り当てられている個々のチャンネルを含み、それらのチャンネルが、複数箇所の上記チャンネルの並び方向中央部に位置している内側チャンネルとその内側チャンネルを挟む両側に位置している外側チャンネルとに区画されている。
【００１５】
そして、上記内側チャンネルに、上記色度母集団及び上記光束母集団の全部から選択された色度スペックと光束スペックの高いＬＥＤが割り当てられている。
【００１６】
この構成であると、光源ユニットに含まれる所要数のＬＥＤが、バーの長手方向複数箇所に並んだ個々のチャンネルに振り分けて割り当てられているので、バーでの個々のＬＥＤの配置位置を個別に決定する必要がなく、各チャンネルごとに個々のＬＥＤの配置位置を決定することができるので、ＬＥＤの配置のための労力が軽減されてそのための工程が簡略化される。
【００１７】
また、光源ユニットのバーの内側チャンネルに割り当てられたＬＥＤの色度スペックと光束スペックとが高く、しかも、内側チャンネルに割り当てられたＬＥＤのスペックがモジュールとしての面発光装置の全体のスペックに影響を及ぼすので、当該面発光装置に要求される色度スペックと光束スペックとが満たされる。すなわち、外側チャンネルに複数の色度母集団及び複数の光束母集団の全部から任意に選択されたＬＥＤが割り当てられているとしても、それによって面発光装置がスペックアウトすることはない。
【００１８】
請求項２の発明に係る発明では、上記外側チャンネルに、上記色度母集団及び上記光束母集団の全部から任意に選択されたＬＥＤが割り当てられている。この構成であると、内側チャンネルに、上記色度母集団及び上記光束母集団の全部から選択された色度スペックと光束スペックの高いＬＥＤが割り当てられ、しかも、外側チャンネルには色度母集団及び光束母集団の全部から任意に選択されたＬＥＤが割り当てられるために、供給された多数のＬＥＤの全部を使用することが可能になって、無駄なＬＥＤの発生が抑制される。
【００１９】
請求項３の発明に係る面発光装置は、色度座標上の色度範囲内で複数の色度母集団にランク分けされ、かつ、光束数値に応じた複数の光束母集団にランク分けされた多数のＬＥＤと、多数の上記ＬＥＤの中から選択された所要数のＬＥＤが帯板状のバーに並べて搭載されてなる光源ユニットと、を備える。
【００２０】
また、上記バーの長手方向複数箇所に並び、上記光源ユニットに含まれる所要数の上記ＬＥＤが振り分けて割り当てられている個々のチャンネルを含み、それらのチャンネルが、複数箇所の上記チャンネルの並び方向中央部に位置している内側チャンネルとその内側チャンネルを挟む両側に位置している外側チャンネルとに区画されている。
【００２１】
そして、上記内側チャンネルに、全部の上記色度母集団を上記色度座標上で中央部に位置する第１色度母集団群とそれを取り囲んで位置する第２色度母集団群との２段階にランク分けすることによって得られる上記第１色度母集団群から任意に選択されたＬＥＤが割り当てられ、上記内側チャンネルに含まれるＬＥＤの全部が、複数の上記光束母集団を光束数値の大きい第１光束母集団群とそれよりも光束数値の小さい第２光束母集団群との２段階にランク分けすることによって得られる上記第１光束母集団群に属している。
【００２２】
この発明によると、色度母集団が第１色度母集団群及び第２色度母集団群の２段階にランク分けされるようになって、ＬＥＤの仕様の細分化が回避される。光束母集団も第１光束母集団群及び第２光束母集団群の２段階にランク分けされるようになって、ＬＥＤの仕様の細分化が回避される。そのため、供給された多数のＬＥＤが、色度座標上の色度範囲内で４行４列の１６種類の色度母集団に細かくランク分けされ、光束数値によって６種類の光束母集団に細かくランク分けされているとしても、バーに位置指定して配置するためのＬＥＤは、２段階にランク分けされた第１又は第２の色度母集団群、第１又は第２の光束母集団群から選択するだけで済むようになって位置指定が容易になる。
【００２３】
また、この発明によっても、上記同様に、光源ユニットのバーの内側チャンネルに割り当てられたＬＥＤが当該面発光装置に要求される色度スペックと光束スペックとを満たし、しかも、内側チャンネルに割り当てられたＬＥＤのスペックがモジュールとしての面発光装置の全体のスペックに影響を及ぼすので、外側チャンネルに割り当てられたＬＥＤに、要求スペックを満たさないＬＥＤが含まれているとしても、それによって面発光装置がスペックアウトすることはない。そして、外側チャンネルには色度母集団及び光束母集団の全部から任意に選択されたＬＥＤが割り当てられるために、供給された多数のＬＥＤの全部を使用することが可能になって、無駄なＬＥＤの発生が抑制される。
【００２４】
請求項４の発明に係る面発光装置は、請求項３に記載した面発光装置において、上記外側チャンネルに、第１及び第２の上記色度母集団群の全範囲から任意に選択されたＬＥＤが割り当てられ、上記外側チャンネルに含まれるＬＥＤが、第１及び第２の上記光束母集団群の全範囲から任意に選択されている。この構成であると、外側チャンネルには複数の色度母集団や複数の光束母集団の全部から任意に選択されたＬＥＤが割り当てられるために、供給された多数のＬＥＤの全部を使用することが可能になって、無駄なＬＥＤの発生が抑制される。
【００２５】
請求項５の発明に係る面発光装置は、請求項３又は請求項４に記載した面発光装置において、上記光源ユニットに含まれる所要数の上記ＬＥＤが、上記バーの長手方向に並んだ４つのチャンネルに振り分けて割り当てられ、４つの上記チャンネルのうちの中央の２つのチャンネルが上記内側チャンネルとして定められ、それらの２つのチャンネルを挟む両側に位置する２つのチャンネルが上記外側チャンネルとして定められている。
【００２６】
本発明に係る面発光装置は、たとえば次のＡ〜Ｅの操作を経て製造することができる。  Ａ．上記バーの長手方向複数箇所に所要数のＬＥＤを振り分けて割り当てるためのチャンネルを区画形成すること。
Ｂ．全部の上記色度母集団を上記色度座標上で中央部に位置する第１色度母集団群とそれを取り囲んで位置する第２色度母集団群との２段階にランク分けすることと、
Ｃ．複数の上記光束母集団を光束数値の大きい第１光束母集団群とそれよりも光束数値の小さい第２光束母集団群との２段階にランク分けすること。
Ｄ．複数箇所の上記チャンネルの並び方向中央部に位置している内側チャンネルに、上記第１色度母集団群及び上記第１光束集団群から任意に選択されたＬＥＤを割り当てること。
Ｅ．上記内側チャンネルを挟む両側に位置している外側チャンネルに、第１及び第２の上記色度母集団群及び第１及び第２の上記光束母集団群の全範囲から任意に選択されたＬＥＤを割り当てること。
【発明の効果】
【００２７】
本発明に係る面発光装置によると、色度範囲や光束などの固体差に起因するばらつきのある多数のＬＥＤが供給された場合において、供給された多数のＬＥＤの全部を使用対象とすることが可能でありながら、色度がスペックアウトしたり光束がスペックアウトしたりすることのない面発光装置を提供することが可能になる。したがって、供給されたＬＥＤの中の無駄なＬＥＤの発生が抑制されてコストダウンが図られる。また、細分化された仕様の多数のＬＥＤの中から所望仕様のＬＥＤを選択するという煩わしい作業が回避されるという面からもコストダウンを図ることが可能になる。
【図面の簡単な説明】
【００２８】
【図１】本発明に係る面発光装置の基本コンセプトを示した説明図である。
【図２】色度座標上の色度範囲でのＬＥＤのランク分けを示した色度図である。
【図３】光束数値による光束母集団のランク分けを示した説明図である。
【図４】実施形態の面発光装置の光源ユニットのチャンネルごとに振り分けられるＬＥＤの色度母集団と光束母集団の種類を示した説明図である。
【発明を実施するための形態】
【００２９】
図１は、本発明に係る面発光装置の基本コンセプトを示した説明図である。同図の面発光装置は、帯板状のバー２とこのバー２に並べて搭載されたＬＥＤとを備える光源ユニット１を備えている。そして、バー２に並べて搭載された上記ＬＥＤが、導光板３の入光面３１に対峙している。この面発光装置によると、光源ユニット１に含まれるＬＥＤから出た光が、入光面３１を経て導光板３に導入され、その導光板３や図示していない光学シートなどの作用で導光板３の表面で面発光する。
【００３０】
図１の面発光装置において、光源ユニット１に含まれるＬＥＤは、バー２の長手方向複数箇所に並んだ個々のチャンネルに振り分けて割り当てられている。具体的には、バー２の長手方向の４箇所にｃｈ１，ｃｈ２，ｃｈ３，ｃｈ４の４つのチャンネルを区画形成し、それぞれのチャンネルｃｈ１〜４に対して所要数のＬＥＤが位置指定されて配置されている。この面発光装置では、光源ユニット１のバー２の長手方向中央部のチャンネルｃｈ２，ｃｈ３に配置されるＬＥＤのスペックが、モジュールとしての面発光装置の全体のスペックに影響を及ぼす。このことに着目し、それらのチャンネルｃｈ２，ｃｈ３に、色度スペック及び光束スペックの高いＬＥＤを配置し、その両側のチャンネルｃｈ１，ｃｈ４には、供給された多数のＬＥＤの中から任意に選択したＬＥＤを配置する、というのが、本発明に係る面発光装置の基本コンセプトである。なお、図１において、符号Ｙ２，Ｙ３はチャンネルｃｈ２，ｃｈ３に含まれるＬＥＤから出る光を示し、符号Ｙ１，Ｙ４はチャンネルｃｈ１，ｃｈ４に含まれるＬＥＤから出る光を説明的に示したものである。
【００３１】
上記した４箇所のチャンネルｃｈ１〜４に割り当てられているＬＥＤは、色度座標上の色度範囲内で複数の色度母集団にランク分けされ、しかも、光束数値に応じた複数の光束母集団にランク分けされた多数のＬＥＤの中から選択されている。ここで、複数の色度母集団や光束母集団にランク分けされた多数のＬＥＤは、面発光装置を製造するに当たってその製造工程に供給された一群のＬＥＤのことである。
【００３２】
図２は供給された多数のＬＥＤの色度座標上の色度範囲でのランク分けを示している。また、図３は供給された多数のＬＥＤの光束母集団のランク分けを示している。
【００３３】
図２の色度図では、供給された多数のＬＥＤが、色度座標上の色度範囲内で４行４列の１６種類の色度母集団に細かくランク分けされている。図例では、１６種類の色度母集団が次のようにランク分けされている。すなわち、供給された多数のＬＥＤが、色度座標上で略矩形の輪郭線Ｌを有する色度範囲Ｓの内部で１６種類の色度母集団にランク分けされている。図示されている１６種類の色度母集団には、「親番号−子番号」の形式で、
１−１，１−２，１−３，１−４，
２−１，２−２，２−３，２−４，
３−１，３−２、３−３，３−４，
４−１，４−２，４−３，４−４
の符号が付されている。
【００３４】
図２の色度図によって判るように、親番号が「１」のランク１−１，１−２，１−３，１−４は、略矩形の輪郭線Ｌで囲まれた色度範囲において、１つのコーナｋ１側に偏って位置していて、そのうちの１−１，１−２，１−４の３つのランクに属する色度母集団の範囲が輪郭線Ｌの相隣接する２辺ｈ１，ｈ２に接している。親番号が「２」のランク２−１，２−２，２−３，２−４は、略矩形の輪郭線Ｌで囲まれた色度範囲において、他の１つのコーナｋ２側に偏って位置していて、そのうちの２−１，２−２，２−３の３つのランクに属する色度母集団の範囲が輪郭線Ｌの相隣接する２辺ｈ２，ｈ３に接している。親番号が「３」のランク３−１，３−２，３−３，３−４は、略矩形の輪郭線Ｌで囲まれた色度範囲において、さらに他の１つのコーナｋ４側に偏って位置していて、そのうちの３−２，３−３，３−４の３つのランクに属する色度母集団の範囲が輪郭線Ｌの相隣接する２辺ｈ４，ｈ１に接している。さらに、親番号が「４」のランク４−１，４−２，４−３，４−４は、略矩形の輪郭線Ｌで囲まれた色度範囲において、さらに他の１つのコーナｋ３側に偏って位置していて、そのうちの４−１，４−３，４−４の３つのランクに属する色度母集団の範囲が輪郭線Ｌの相隣接する２辺ｈ３，ｈ４に接している。
【００３５】
この実施形態に係る面発光装置の製造工程では、色度範囲Ｓ内に含まれる全部の色度母集団、すなわち、親番号が１〜４で、子番号が１〜４である全部の色度母集団を色度座標上で中央部に位置する第１色度母集団群Ａとそれを取り囲んで位置する第２色度母集団群Ｂとの２段階にランク分けすることが行われる。この実施形態では、第１色度母集団群Ａにランク１−３，２−４，３−１，４−２の４種類の色度母集団が含まれている。この第１色度母集団群Ａに含まれるＬＥＤは、色度範囲Ｓの中央部に隣接して分布している色度スペックの高いＬＥＤである。第２色度母集団群Ｂには、ランク１−１，１−２，１−４，２−１，２−２，２−３，３−２，３−３，３−４，４−１，４−３，４−４の１２種類の色度母集団が含まれている。この第２色度母集団群Ｂに含まれるＬＥＤは、第１色度母集団群Ａの周囲を取り囲む位置で隣接して分布していて、第１色度母集団群Ａよりも色度スペックが低い。
【００３６】
一方、供給された多数のＬＥＤの光束母集団のランク分けを示した図３では、同図のＢｉｎ  Ｒｕｎｋ（ｏｌｄ）の欄に示したように、供給された多数のＬＥＤが、符号２２，２３，２４，２５，２６，２７によって６種類の光束母集団に細かくランク分けされている。
【００３７】
図３によって判るように、符号２２の光束母集団としてランク分けされたＬＥＤの光束（ｌｍ）は２２−２３であり、符号２３の光束母集団としてランク分けされたＬＥＤの光束（ｌｍ）は２３−２４であり、符号２４の光束母集団としてランク分けされたＬＥＤの光束（ｌｍ）は２４−２５であり、符号２５の光束母集団としてランク分けされたＬＥＤの光束（ｌｍ）は２５−２６であり、符号２６の光束母集団としてランク分けされたＬＥＤの光束（ｌｍ）は２６−２７であり、符号２７の光束母集団としてランク分けされたＬＥＤの光束（ｌｍ）は２７−２８である。
【００３８】
この実施形態に係る面発光装置の製造工程では、図３のＢｉｎ  Ｒｕｎｋ（ｎｅｗ）の欄に示したように、上記の６種類の光束母集団２２〜２７を、光束数値の大きい第１光束母集団群ａとそれよりも光束数値の小さい第２光束母集団群ｂとの２段階にランク分けすることが行われる。この実施形態では、第１光束母集団群ａのランクに４種類の光束母集団２４〜２７が含まれている。この第１光束母集団群ａに含まれるＬＥＤは、光束母集団２４〜２８に含まれる光束スペックの高いＬＥＤである。第２光束母集団群ｂのランクに２種類の光束母集団２２，２３が含まれている。この第２光束母集団群ａに含まれるＬＥＤは、光束母集団２２，２４に含まれるＬＥＤであって、第１光束母集団群ａに含まれるＬＥＤに比べてスペックが低い。
【００３９】
この実施形態に係る面発光装置では、図１を参照して説明した基本コンセプトにしたがって、光源ユニット１のバー２の長手方向の４箇所に区画形成されているｃｈ１，ｃｈ２，ｃｈ３，ｃｈ４の４つのチャンネルに所要数のＬＥＤが振り分けて配置される。具体的には、バー２の長手方向中央部２箇所の内側チャンネルｃｈ２，ｃｈ３に第１色度母集団群Ａ及び第１光束母集団群ａから任意に選択された所要数のＬＥＤが割り当てられる。また、内側チャンネルｃｈ２，ｃｈ３を挟む両側に位置している２箇所の外側チャンネルｃｈ１，ｃｈ４に、第１及び第２の色度母集団群Ａ，Ｂ及び第１及び第２の光束母集団群ａ，ｂの全範囲から任意に選択されたＬＥＤが割り当てられる。
【００４０】
図４では、チャンネルごとに振り分けられるＬＥＤの色度（ＣＩＥ）に係る色度母集団群と光束（ｌｍ）に係る光束母集団群の種類を示してある。同図に示したように、上記の各工程を経ることにより、バー２の内側チャンネル内側チャンネルｃｈ２，ｃｈ３に上記第１色度母集団群Ａから任意に選択されたＬＥＤが割り当てられ、外側チャンネルｃｈ１，ｃｈ４に、第１及び第２の色度母集団群Ａ，Ｂの全範囲から任意に選択されたＬＥＤが割り当てられ、しかも、内側チャンネルｃｈ２，ｃｈ３に含まれるＬＥＤの全部が、光束数値の大きい第１光束母集団群ａに属し、外側チャンネルｃｈ１，ｃｈ４に含まれるＬＥＤが、第１及び第２の光束母集団群ａ，ｂの全範囲から任意に選択されていることになる。
【００４１】
以上説明した実施形態に係る面発光装置によると、光源ユニット１のバー２の長手方向４箇所に並んだ個々のチャンネルにＬＥＤが振り分けて割り当てられている。このため、バーでの個々のＬＥＤの配置位置をの一つ一つ個別に決定する必要がなく、各チャンネルごとにランク分けされた個々のＬＥＤの配置位置を決定することができるので、ＬＥＤの配置のための労力が軽減されてそのための工程が簡略化される。
【００４２】
また、色度範囲内での色度母集団及び光束母集団、順方向電圧の組み合わせの数が６７２通りから第１及び第２の２通りの組み合わせに減少する。したがって、図４に示したように、内側チャンネルｃｈ２，ｃｈ３には第１色度母集団群Ａと第１光束母集団群ａとの１通りの組み合わせＡ−ａで得られるＬＥＤを割り当てるだけで済む。また、外側チャンネルｃｈ１，ｃｈ４には第１及び第２の色度母集団群Ａ，Ｂと第１及び第２の光束母集団群ａ，ｂとの４通りの組み合わせＡ−ａ，Ａ−ｂ，Ｂ−ａ，Ｂ−ｂで得られるＬＥＤを割り当てるだけで済む。したがって、ＬＥＤを組み合わせてバー２の各チャンネルに位置指定して配置することが簡略される。
【００４３】
さらに、色度範囲内に分布する全部のＬＥＤが光源ユニットでの使用対象になっていることにより、無駄なＬＥＤが発生しにくいという利点がある。
【００４４】
この実施形態では、バーのチャンネルを４つのチャンネルｈ１，ｈ２，ｈ３，ｈ４に分けた事例を説明したけれども、この点は、バーのチャンネルを３つのチャンネル、あるいは、５つより多いチャンネルに分けておいてもよい。３つのチャンネルに分けた場合は、中央の１つのチャンネルが内側チャンネルに相当し、その両側の２つのチャンネルが外側チャンネルに相当する。また、５つのチャンネルに分けた場合は、中央の３つのチャンネルが内側チャンネルに相当し、その両側の２つのチャンネルが外側チャンネルに相当する。
【符号の説明】
【００４５】
１  光源ユニット
２  バー
１−１〜４，２−１〜４，３−１〜４，４−１〜４  複数の色度母集団
２２〜２７  複数の光束母集団
ｃｈ２，ｃｈ３  内側チャンネル
ｃｈ１，ｃｈ４  外側チャンネル
Ｓ  色度座標上の色度範囲
Ａ  第１色度母集団群
Ｂ  第２色度母集団群
ａ  第１光束母集団群
ｂ  第２光束母集団群
【図１】
2011254064.tif 000003
【図２】
2011254064.tif 000004
【図３】
2011254064.tif 000005
【図４】
2011254064.tif 000006